(57)【要約】      （修正有）【課題】非常時、台車に設けた飲料水貯留タンクの飲料水及びソーラーパネルから得た電源を利用することができる水と電気の供給方法及び水と電気の供給装置を提供する。【解決手段】飲料水貯留タンク５を室内又は室外のいずれかの水道水ラインに接続し、水道水を飲料水貯留タンク５を経て使用する水道水供給工程と、非常使用の時は、水道水ラインから飲料水貯留タンク５を取り外し、キャスター１７を有する台車１５に載せる飲料水貯留タンク搭載工程と、電源供給部２１ｃを有するソーラーパネル２１を台車１５に脚状支持部材１９を介して揺動自在に設置するソーラーパネル設置工程と、ソーラーパネル２１設置後の台車１５を、太陽光線が当たる室外の任意の場所まで移動させる台車移動工程と、太陽が出ている間に於いて、操作力により、ソーラーパネル２１を少なくとも傾斜姿勢から略水平姿勢へと回動させるソーラーパネルの角度変更工程を含む。【選択図】図１１
2020068617.tif 000002
【特許請求の範囲】
【請求項１】
飲料水貯留タンクを室内又は室外のいずれかの水道水ラインに接続し、
通常使用の時は、前記水道ラインから供給される水道水を、前記飲料水貯留タンクを経て使用する水道水供給工程と、非常使用の時は、前記水道水ラインから前記飲料水貯留タンクを取り外し、車輪或いはキャスターを有する台車に載せる飲料水貯留タンク搭載工程と、前記飲料水貯留タンク搭載工程の際、電源供給部を有するソーラーパネルを前記台車に脚状支持部材を介して揺動自在に設置するソーラーパネル設置工程と、前記ソーラーパネル設置後の台車を、太陽光線が当たる室外の任意の場所まで移動させる台車移動工程と、太陽が出ている間に於いて、操作力により、前記ソーラーパネルを少なくとも傾斜姿勢から略水平姿勢へと回動させるソーラーパネルの角度変更工程を含む水と電気の供給方法。
【請求項２】
車輪或いはキャスターを有する台車に搭載した飲料水貯留タンクを室外の水道水ラインに接続し、通常使用の時は、前記水道ラインから供給される水道水を、前記飲料水貯留タンクを経て使用する水道水供給工程と、非常使用の時は、前記水道水ラインから前記飲料水貯留タンクを取り外す飲料水貯留タンク分離工程と、その後、電源供給部を有するソーラーパネルを前記台車に脚状支持部材を介して揺動自在に設置するソーラーパネル設置工程と、前記ソーラーパネル設置後の台車を、太陽光線が当たる室外の任意の場所まで移動させる台車移動工程と、太陽が出ている間に於いて、操作力により、前記ソーラーパネルを少なくとも傾斜姿勢から略水平姿勢へと回動させるソーラーパネルの角度変更工程を含む水と電気の供給方法。
【請求項３】
電源供給部を有するソーラーパネルを台車に脚状支持部材を介して揺動自在に設置するソーラーパネル設置工程と、前記台車に飲料水貯留タンクを搭載し、かつ、該飲料水貯留タンクを室外の水道水ラインに接続し、通常使用の時は、前記水道ラインから供給される水道水を、前記飲料水貯留タンクを経て使用する水道水供給工程と、非常使用の時は、前記水道水ラインから前記飲料水貯留タンクを取り外す飲料水貯留タンク分離工程と、前記ソーラーパネル及び飲料水貯留タンクを備えた台車を、太陽光線が当たる室外の任意の場所まで移動させる台車移動工程と、太陽が出ている間に於いて、操作力により、前記ソーラーパネルを少なくとも傾斜姿勢から略水平姿勢へと回動させるソーラーパネルの角度変更工程を含む水と電気の供給方法。
【請求項４】
請求項１乃至請求項３のいずれかの水と電気の供給方法に於いて、非常使用の時は、ソーラーパネルが強風で上方に移動しないように紐状連結部材の一端部を前記ソーラーパネルの第１連結具に取付け、その中途部を脚状支持部材の支持部に支持させると共に、他端部を前記ソーラーパネルの第２連結具に取り付けるソーラーパネル支持工程が含まれていることを特徴とする水と電気の供給方法。
【請求項５】
車輪或いはキャスターを有する台車と、該台車に搭載された飲料水貯留タンクと、該台車に脚状支持部材を介して揺動自在に設置され、かつ、通信端末と接続可能な接続部を有するソーラーパネルとを備え、前記飲料水貯留タンクは、通常使用の時は、水道ラインから供給される水道水を、該飲料水貯留タンクを経て使用することができ、一方、非常使用の時は、前記飲料水貯留タンクは前記水道水ラインから取り外され、かつ、前記台車を太陽光線が当たる室外の任意の場所まで台車用把手を利用して移動させることができ、さらに、前記ソーラーパネルは、太陽が出ている間に於いて、操作力により、前記ソーラーパネルを少なくとも傾斜姿勢から略水平姿勢へと回動させることができる水と電気の供給装置。
【請求項６】
請求項５の水と電気の供給装置に於いて、前記ソーラーパネルは、その裏面の略中央部に固定的に突設され、かつ、前記脚状支持部材の凹所状水平嵌合部に着脱自在に嵌合する水平軸部を有することを特徴とする水と電気の供給装置。
【請求項７】
請求項５の水と電気の供給装置に於いて、紐状又は杆状のいずれかの連結部材を用いて、前記ソーラーパネルと前記脚状支持部材とを連結し、ソーラーパネルを傾斜状態から略水平状態にする際、前記連結部材の支持位置を変えることを特徴とする水と電気の供給装置。
【請求項８】
請求項５の水と電気の供給装置に於いて、前記供給装置は、前記ソーラーパネルを少なくとも傾斜姿勢から略水平姿勢へと回動させる角度変更手段を有し、この角度変更手段は、脚状支持部材に形成された略水平姿勢用の上方の支持孔及び傾斜姿勢用下方の支持孔と、これらの支持孔に選択的に差し込まれる係止棒と、この係止棒に止められ、かつ、前記脚状支持部材にスライド自在に外嵌合する調整筒と、この調整筒に下端部が枢支され、一方、上端部が前記ソーラーパネルに取付けられ枢支部材に軸支された支持腕と、前記枢支部材に対して所定間隔離れていると共に前記ソーラーパネルの一端部側に取付けられた蝶番手段と、この蝶番手段の可動端板に固定され、前記脚状支持部材の上端部に固定的に嵌合する嵌合筒とから成ることを特徴とする水と電気の供給装置。
【発明の詳細な説明】
【技術分野】
【０００１】
本発明は、特に地震等の非常時に役立つ水と電気の供給方法及びその供給装置に関する。
【背景技術】
【０００２】
特許文献１には、通常使用のときは、水道ラインから供給される水道水を、飲料水貯留タンクを経て使用することができ、一方、非常時、前記飲料水貯留タンクの飲料水を利用することができる水の供給装置が記載されている。
【０００３】
しかしながら、この特許文献１の水の供給装置は、通常使用のとき、給水栓が飲料水貯留タンクの下端部に連結されていることから、飲料水を十分に貯留することができない、飲料水貯留タンクを所望する場所に容易に運搬することができない、太陽電池を利用して発電することができない等の問題点がある。
【０００４】
一方、特許文献２には、移動可能な台車に浄水装置を搭載し、この浄水装置の上方に位置するように台車に複数枚のソーラーパネルを配設した浄水装置が記載されている。
【０００５】
しかしながら、特許文献２は、本発明と課題が相違するのみならず、台車に重量のある浄水装置を搭載するので、台車を小型化（例えば普通一般の台車の構造や大きさにする）ことができない、台車が重くて容易に押す・引くことができない、構造が複雑であることから、簡単かつ安価に製作をすることができない、ソーラーパネルの姿勢を任意の位置に変更することができない等の問題点がある。
【先行技術文献】
【特許文献】
【０００６】
【特許文献１】実開昭５７−１２８６５９号公報
【特許文献２】特開２０１８−３４１２９号公報
【発明の概要】
【発明が解決しようとする課題】
【０００７】
本発明の主たる課題は、通常使用のときは、水道ラインから供給される水道水を、飲料水貯留タンクを経て使用することができ、一方、非常時、台車に設けた前記飲料水貯留タンクの飲料水をそのまま飲むことができ、及びソーラーパネルから得た電源を利用することができる水と電気の供給方法及びその供給装置を提供することである。そして、特に供給装置を簡単かつ短時間に組み立てることができると共に、１日当たりの発電量を増やすことができることである。
【課題を解決するための手段】
【０００８】
本発明の「水と電気の供給方法」は、飲料水貯留タンクを室内又は室外のいずれかの水道水ラインに接続し、通常使用の時は、前記水道ラインから供給される水道水を、前記飲料水貯留タンクを経て使用する水道水供給工程と、非常使用の時は、前記水道水ラインから前記飲料水貯留タンクを取り外し、車輪或いはキャスターを有する台車に載せる飲料水貯留タンク搭載工程と、前記飲料水貯留タンク搭載工程の際、電源供給部を有するソーラーパネルを前記台車に脚状支持部材を介して揺動自在に設置するソーラーパネル設置工程と、前記ソーラーパネル設置後の台車を、太陽光線が当たる室外の任意の場所まで移動させる台車移動工程と、太陽が出ている間に於いて、操作力により、前記ソーラーパネルを少なくとも傾斜姿勢から略水平姿勢へと回動させるソーラーパネルの角度変更工程を含むことを特徴とする。
【０００９】
また本発明の「水と電気の供給方法」は、車輪或いはキャスターを有する台車に搭載した飲料水貯留タンクを室外の水道水ラインに接続し、通常使用の時は、前記水道ラインから供給される水道水を、前記飲料水貯留タンクを経て使用する水道水供給工程と、非常使用の時は、前記水道水ラインから前記飲料水貯留タンクを取り外す飲料水貯留タンク分離工程と、その後、電源供給部を有するソーラーパネルを前記台車に脚状支持部材を介して揺動自在に設置するソーラーパネル設置工程と、前記ソーラーパネル設置後の台車を、太陽光線が当たる室外の任意の場所まで移動させる台車移動工程と、太陽が出ている間に於いて、操作力により、前記ソーラーパネルを少なくとも傾斜姿勢から略水平姿勢へと回動させるソーラーパネルの角度変更工程を含むことを特徴とする。
【００１０】
また本発明の「水と電気の供給方法」は、電源供給部を有するソーラーパネルを台車に脚状支持部材を介して揺動自在に設置するソーラーパネル設置工程と、前記台車に飲料水貯留タンクを搭載し、かつ、該飲料水貯留タンクを室外の水道水ラインに接続し、通常使用の時は、前記水道ラインから供給される水道水を、前記飲料水貯留タンクを経て使用する水道水供給工程と、非常使用の時は、前記水道水ラインから前記飲料水貯留タンクを取り外す飲料水貯留タンク分離工程と、前記ソーラーパネル及び飲料水貯留タンクを備えた台車を、太陽光線が当たる室外の任意の場所まで移動させる台車移動工程と、太陽が出ている間に於いて、操作力により、前記ソーラーパネルを少なくとも傾斜姿勢から略水平姿勢へと回動させるソーラーパネルの角度変更工程を含むことを特徴とする。
【００１１】
上記各発明の構成に於いて、非常使用の時は、ソーラーパネルが強風で上方に移動しないように紐状連結部材の一端部を前記ソーラーパネルの第１連結具に取付け、その中途部を脚状支持部材の支持部に支持させると共に、他端部を前記ソーラーパネルの第２連結具に取り付けるソーラーパネル支持工程が含まれていることを特徴とする。
【００１２】
さらに、本発明の「水と電気の供給装置」は、車輪或いはキャスターを有する台車と、該台車に搭載された飲料水貯留タンクと、該台車に脚状支持部材を介して揺動自在に設置され、かつ、通信端末と接続可能な接続部を有するソーラーパネルとを備え、前記飲料水貯留タンクは、通常使用の時は、水道ラインから供給される水道水を、該飲料水貯留タンクを経て使用することができ、一方、非常使用の時は、前記飲料水貯留タンクは前記水道水ラインから取り外され、かつ、前記台車を太陽光線が当たる室外の任意の場所まで台車用把手を利用して移動させることができ、加えて、前記ソーラーパネルは、太陽が出ている間に於いて、操作力により、前記ソーラーパネルを少なくとも傾斜姿勢から略水平姿勢へと回動させることができることを特徴とする。
【００１３】
上記水と電気の供給装置に於いて、前記ソーラーパネルは、その裏面の略中央部に固定的に突設され、かつ、前記脚状支持部材の凹所状水平嵌合部に着脱自在に嵌合する水平軸部を有することを特徴とする。また、紐状又は杆状のいずれかの連結部材を用いて、前記ソーラーパネルと前記脚状支持部材とを連結し、ソーラーパネルを傾斜状態から略水平状態にする際、前記連結部材の支持位置を変えることを特徴とする。
【００１４】
加えて、「水と電気の供給装置」は、ソーラーパネルを少なくとも傾斜姿勢から略水平姿勢へと回動させる角度変更手段を有し、この角度変更手段は、脚状支持部材に形成された略水平姿勢用の上方の支持孔及び傾斜姿勢用下方の支持孔と、これらの支持孔に選択的に差し込まれる係止棒と、この係止棒に止められ、かつ、前記脚状支持部材にスライド自在に外嵌合する調整筒と、この調整筒に下端部が枢支され、一方、上端部が前記ソーラーパネルに取付けられ枢支部材に軸支された支持腕と、前記枢支部材に対して所定間隔離れていると共に前記ソーラーパネルの一端部側に取付けられた蝶番手段と、この蝶番手段の可動端板に固定され、前記脚状支持部材の上端部に固定的に嵌合する嵌合筒とから成ることを特徴とする。
【発明の効果】
【００１５】
通常使用のときは、水道ラインから供給される水道水を、飲料水貯留タンクを経て使用することができ、一方、非常時、台車に設けた前記飲料水貯留タンクの飲料水及びソーラーパネルから得た電源を利用することができる水と電気の供給方法及びその供給装置を提供することができる。
【００１６】
付言すると、通常使用のときは、飲料水貯留タンクを経て水道ラインから供給される水道水を利用するので、飲料水貯留タンク内の水が、いわゆる悪くならず、緊急時に安全な飲料水をそのまま飲むことができる。
【００１７】
そして、非常時に、例えば車輪或いはキャスターを有する台車に飲料水貯留タンクを載せ、かつ、ソーラーパネルを支持部材に簡単に装着することにより、供給装置を簡単かつ短時間で組み立てることができる。また、ソーラーパネルを手動で傾斜姿勢から略水平姿勢にすることができ、しかも、台車の向きを自由に変えることもできるので、１日当たりの発電量を増やすことができる。加えて、台車を人が安全な場所へと自由に移動させることができる。
【００１８】
なお、水と電気の供給装置Ｘ、Ｘ１の場合は、実施形態如何によっては、簡単かつ短時間で組み立てることができる、全体として安価に製作することができる、台車がシンプルな構造であると共に、飲料水貯留タンクとソーラーパネルを搭載しているだけなので、台車を容易に所望する場所へと移動させることができる等の優れた効果がある。
【図面の簡単な説明】
【００１９】
図１乃至図１０は本発明の供給方法の第１実施形態の各説明図。図１１は供給装置の第１実施形態の説明図。図１２は本発明の供給方法の第２実施形態の説明図（工程図）。図１３は本発明の供給方法の第３実施形態の説明図（工程図）。図１４乃至図１７は供給装置の第２実施形態の各説明図。図１８乃至図２１は供給装置の第３実施形態の各説明図。
【図１】本発明の第１実施形態の工程図。
【図２】水道水供給工程Ａの説明図
【図３】飲料水貯留タンク搭載工程Ｂの工程図。
【図４】ソーラーパネルを取付ける前の台車の左側面図。
【図５】脚状支持部材の上端部に設けた水平嵌合部の概略断面図。
【図６】ソーラーパネルの構成を示す正面視からの概略説明図。
【図７】ソーラーパネル設置工程Ｃの説明図。
【図８】ソーラーパネル支持工程Ｄの概略説明図。
【図９】台車移動工程Ｅの説明図。
【図１０】角度変更工程Ｆを示す説明図で、（ａ）はソーラーパネルの一方の傾斜姿勢を示す説明図、（ｂ）はソーラーパネルの水平状態を示す説明図、（ｃ）はソーラーパネルの他方の傾斜姿勢を簡単に説明するブロック図。
【図１１】水と電気の供給装置の第１実施形態の説明図。
【図１２】本発明の供給方法の第２実施形態の工程図。
【図１３】本発明の供給方法の第３実施形態の工程図。
【図１４】水と電気の供給装置の第２実施形態を示す斜視図。
【図１５】正面視からの要部の説明図（ソーラーパネルが略水平姿勢）。
【図１６】要部（角度変更手段）の説明図。
【図１７】ソーラーパネルの傾斜姿勢を示す要部の説明図。
【図１８】本発明の供給装置の第２実施形態の要部の分解説明図。
【図１９】供給装置の第２実施形態を示す全体の斜視図。
【図２０】正面視からの要部の説明図（ソーラーパネルが略水平姿勢）。
【図２１】ソーラーパネルの傾斜姿勢を示す要部の説明図。
【発明を実施するための形態】
【００２０】
まず、図１乃至図１０を参照にして本発明の第１実施形態を説明する。図１は本発明の第１実施形態の工程図である。
【００２１】
図１に於いて、まずＡは、飲料水貯留タンクを室内（第１実施形態）又は室外のいずれかの水道水ラインＬ１に接続し、通常使用の時は、前記水道ラインＬ１から供給される水道水を、前記飲料水貯留タンクを経て使用する水道水供給工程である。
【００２２】
次にＢは、非常使用の時は、前記水道水ラインから前記飲料水貯留タンクを取り外し、室内又は室外の所望する場所に置いた車輪又は自在キャスターを有する台車に載せる飲料水貯留タンク搭載工程である。
【００２３】
次にＣは、前記飲料水貯留タンク搭載工程の際、望ましくは架台の側壁部に通信端末と接続可能な単数又は複数の接続部を有するソーラーパネルを、前記台車に脚状支持部材を介して揺動自在に設置するソーラーパネル設置工程である。このソーラーパネル設置工程Ｃでは、前記脚状支持部材の凹所状嵌合部にソーラーパネルの裏面の略中央部に固定した水平嵌合部の水平軸部を嵌合自在に嵌着するのが望ましい。
【００２４】
次にＤは、ソーラーパネルが強風で上方に移動しないように紐状部材或いはベルト状部材の一端部を前記ソーラーパネルの第１連結具に取付け、その中途部を脚状支持部材の固定支持部又は可動支持部のいずれかに支持させると共に、他端部を前記ソーラーパネルの第２連結具に取り付けるソーラーパネル支持工程である。前記紐状部材或いはベルト状部材は、ゴム製の紐状テンション部材であり、その両端部に前記第１連結具及び第２連結具に簡単に係脱するフック部を有するのが望ましい。
【００２５】
次にＥは、前記ソーラーパネル設置後の台車を、太陽光線が当たる室外の任意の場所まで移動させる台車移動工程である。この台車移動工程Ｅでは、自在キャスターを有する台車の後端部に立設した把手を利用して該台車を押す又は引いて移動させるのが望ましい。
【００２６】
次にＦは、太陽が出ている間に於いて、操作力により、少なくとも前記ソーラーパネルを傾斜姿勢から略水平姿勢へと回動させるソーラーパネルの角度変更工程である。このソーラーパネルの角度変更工程Ｆは、手動でソーラーパネルの一端部を持ち上げることにより、ソーラーパネルを傾斜姿勢から略水平姿勢にすることができる。この場合、ソーラーパネルの裏面中央部に一体的に設けた水平軸部が台車側の脚状支持部の凹所状水平嵌合部に、その外周面が摺接するので、ソーラーパネルは前記水平嵌合部の摩擦抵抗を受けながら略水平姿勢になる。したがって、水平軸部の外周面又は凹所状水平嵌合部の内周面のいずれかに摩擦抵抗が大きくなる粉末剤、ゴムシート等の抵抗部材を設けるのが望ましい。
【００２７】
なお、実施形態によっては、ソーラーパネルと脚状支持部材に亘って設けられかつソーラーパネルの左右両端部を支持する方向変換手段（例えば、脚状支持部材に設けた支持部としてのスプロケットと、該スプロケットに中途部が噛み合い、かつ、その両端部がソーラーパネルの第１連結具及び第２連結具にそれぞれ連結されたチェーン）を操作することに回動させ、少なくとも前記ソーラーパネルを傾斜姿勢から略水平姿勢へと変えることができるように構成しても良い。
【００２８】
以下、図２、図３等を参照にして、Ａ乃至Ｆ工程を具体的に説明する。図２に於いて、Ｌ１は室内の水道水ラインで、この水道水ラインＬ１の水道端末管１は、普通一般に台所のシンクや厨房設備のシンクある室内の所定箇所へと突出している。
２は前記水道端末管１に設けられた給水栓である。給水栓２は、その内部に栓本体が納まっており、水道水Ｗの流れを遮断することができる。３は継手を介して前記給水栓２の先端部側の管に接続する接続管で、この接続管３の先端部に水道水供給工程Ａで用いられる飲料水貯留タンク５が接続している。
【００２９】
飲料水貯留タンク５は上壁部に給水口部６を有し、一方、一側壁の上端部に通常時に使用される第１給水栓７を備える第１給水管８が設けられていると共に、他側壁の下端部に非常時に使用される第２給水栓９を備える給水管１０が設けられている。１１は上壁部の略中央部に設けた単数又は複数の把手である。なお、符号１２は室内の台所のシンクである。
【００３０】
したがって、通常時の水道水Ｗの流れは、水道水ラインＬ１の水道端末管１から接続管３の先端部及び給水口部６を通って飲料水貯留タンク５に流れ込み、流れ込んだ水道水Ｗは、直ちに第１給水栓７及び第１給水管８を通って台所のシンク１２へと流れる。それ故に、水道水Ｗは飲料水貯留タンク５の上部の水位（仮想線の位置）に常に保たれている。なお、前記給水口部６は接続管３の先端部から取り外し可能である。また飲料水貯留タンク５の大きさや形状は、後述する台車の大きさ及び形状を考慮したものである。また飲料水貯留タンク５の材質は金属又は合成樹脂のいずれかである。
【００３１】
次に図３に於いて、符号１５は非常時に使用される台車である。台車は普通一般に、引っ越しサービス業者、宅配便業者等が使用している台車と同様の構造（大きさと形状）をしている。またその水平支持台１６の裏面の角部付近に合計４個の自在キャスター１７を有している。
【００３２】
しかして、１８は前記水平支持台１６の後端部に予め設けられた台車用把手で、この台車用把手１８は、全体として逆Ｕ字形状で、上端部は後方側に傾斜している。一方、１９は前記水平支持台１６の先端部の略中央部に予め立設された脚状支持部材である。
【００３３】
実施形態では、脚状支持部材１９の上端部に上方向に開口する水平嵌合部２０が固定的に設けられている。この凹所状水平嵌合部２０の縦断面は、例えば図５で示すように略Ｕ字形状である。なお、前記凹所状水平嵌合部２０の断面形状は、後述するソーラーパネルの水平軸部が着脱自在に嵌合する形状であれば、断面略半円形状、断面略ホームベース形状、断面逆台形形状などにすることもできる。
【００３４】
ところで、実施形態では、後述するソーラーパネル支持工程Ｄを備えているので、前記脚状支持部材１９の中央部（中央部寄りの部位も含む）に下向きフック形状の支持部２０が固定的に設けられている。この支持部２０は発明の主たる課題との関係では付随的な構成である。図４はソーラーパネル２１を取付ける前の台車１５の左側面図である。また図５は、脚状支持部材１９の上端部に一体的に設けた水平嵌合部の概略断面図である。
【００３５】
次に図６はソーラーパネル２１の構成を示す。ソーラーパネル２１は、例えば扁平状の架台２１ａと、この架台２１ａの上面に左右・前後に整列された多数の太陽電池２１ｂと、前記架台２１ａの適宜箇所に設けられた複数個の接続端子２１ｃとから成る。前記接続端子２１ｃは、震災時の場合を配慮して、例えば携帯端末用の電気供給接続部となっている。もちろん、携帯端末用の電気供給接続部と共に、コンセントを設けても良い。
【００３６】
したがって、望ましくは前記扁平状の架台２１ａの内部空間に扁平矩形状の二電池２２を入れ、この二電池２２の端子にインバーターを接続し、携帯端末（例えばスマートフォン）は、該インバーターを介して交流電源を取得する。実施形態では、ソーラーパネル２１は矩形状のものが好ましいが、形状を限定するものではなく、例えば平面視トラック形状、四角形状、楕円形状等であっても良い。また、ソーラーパネル２１は、単数又は複数枚であっても良い。
【００３７】
しかして、実施形態のソーラーパネル２１は、図６で示すように、架台２１ａの裏面の略中央部に固定的に突設され、かつ、前述した脚状支持部材１９の凹所状水平嵌合部２０に着脱自在に嵌合する水平軸部２３を有する。なお、前記水平軸部２３は短い垂下片２４を介して下方に突出し、パイプ状のものを単数（本実施形態）、又は、互いに離反して複数個有している（脚状支持部材１９の凹所状水平嵌合部２０が一対の場合）。さらに、実施形態では、架台２１ａの一端部の下面とその反対側の他端部の下面には、フック状又はリング状の第１連結具２５及び第２連結具２６がそれぞれ一対取り付けられている。
【００３８】
図７はソーラーパネル設置工程Ｃを示す。この図７から明らかなように、ソーラーパネル設置工程Ｃでは、図６で示したソーラーパネル２１の水平嵌合部の水平軸部２３を脚状支持部材１９の凹所状嵌合部２０に嵌合自在に嵌着する。したがって、ソーラーパネル２１を脚状支持部材１９に簡単に装着することができ、しかも、ソーラーパネル２１の水平軸部２３は、凹所状水平嵌合部２０に所定角度まで凹所状水平嵌合部２０の内周面から摩擦抵抗を受けながら揺動可能である。
【００３９】
図８はソーラーパネル支持工程Ｄの一例を示す。実施形態では、簡単かつ安価に製作するために、このソーラーパネル支持工程Ｄでは、ソーラーパネル２１が強風で上方に移動しないように紐、ベルト、線材等の紐状連結部材３１の一端部をソーラーパネル２１の第１連結具２５に取付け、その中途部を脚状支持部材１９の固定支持部３２又は可動支持部３２のいずれかに支持させると共に、他端部を前記ソーラーパネル２１の第２連結具２６に取り付ける。
【００４０】
前記紐状連結部材３１は両端部にフック部３２ａ、３２ａを有するゴム製の弾性紐が用いられている。このゴム製の弾性紐３１を用いることにより、ソーラーパネル２１の左右両端部にテンションを掛けることができる。またフック部３２ａ、３２ａは第１連結具２５及び第２連結具２６に簡単に係脱するので、短時間で、ソーラーパネル支持工程Ｄを終えることができる。
【００４１】
次に図９は台車移動工程Ｅの説明図である。Ｐ１は室外であっても陽が当たらない場所である。一方、Ｐ２は室外の陽が当たる場所で、かつ、安全な場所である。したがって、非常時には、人が台車１５の台車用把手１８を押して又は引いて、Ｐ１からＰ２へと台車１５を移動させることができる。
【００４２】
次に図１０は角度変更工程Ｆを示す説明図で、（ａ）はソーラーパネル２１の傾斜姿勢を示す説明図、（ｂ）ソーラーパネル２１の水平状態を示す説明図である。なお、特に詳細に図示しないが、図１０の（ｃ）で示すように、手動でソーラーパネル２１を一方の傾斜姿勢（午前中）から他方の傾斜姿勢（午後）に変位させることもできる。もちろん、一方の傾斜姿勢のままで、台車１５の向きを変えることもできる。
【００４３】
この角度変更工程Ｆでは、ソーラーパネル２１の水平軸部２３の図示しない水平軸線を中心に回動可能であるから、例えばソーラーパネル２１を３０度〜４０度の範囲で任意に傾斜させると、朝から太陽光線を十分に受けることができる。
なお、飲料水貯留タンク５から給水を受ける場合には、第２給水栓９を開くと第２給水管１０から飲料水Ｗが流れ出る。
【００４４】
最後に図１１は、第１実施形態などの水と電気の供給方法に使用される「水と電気の供給装置Ｘ（以下、「供給装置Ｘ」という）の実施形態の一例を示す。この供給装置Ｘは、車輪又は自在キャスター１７を有する台車１５と、該台車に搭載された飲料水貯留タンク５と、該台車１５に単数又は複数の脚状支持部材１９を介して揺動自在に設置され、かつ、通信端末と接続可能な接続部２１ｃを有するソーラーパネル２１とを備えている。
【００４５】
そして、前記飲料水貯留タンク５は、通常使用の時は、例えば室内又は室外のいずれかの水道ラインＬ１、Ｌ２から供給される水道水Ｗを、該飲料水貯留タンク５を経て使用することができ、一方、非常使用の時は、前記飲料水貯留タンク５は前記水道水ラインＬ１、Ｌ２からを取り外され、かつ、前記台車１５を太陽光線が当たる室外の任意の場所まで台車用把手１８を利用して移動させることができ、さらに、前記ソーラーパネル２１は、太陽が出ている間に於いて、例えば前記紐状連結部材３１を操作力により作動させる（支持部を基準にして、紐状連結部材の一方側を長くするのに対応して他方側を短くする）ことにより、前記ソーラーパネルを少なくとも傾斜姿勢から略水平姿勢へと回動させることができる。
【００４６】
望ましくは、前記ソーラーパネル２１の裏面の略中央部に固定的に突設され、かつ、前記脚状支持部材１９の凹所状水平嵌合部２０に着脱自在に嵌合する水平軸部２３を有する。また、前記ソーラーパネル２１の左右の連結具２５、２６にそれぞれ両端部が連結され、その中途部が前記脚状支持部材１９に設けられた支持部３２に支持される紐状連結部材３１を備えている。
【００４７】
なお、供給装置Ｘ（ここでは、「供給装置の第１実施形態」に相当する）は、主に室外の水道ラインＬ２に接続されるが、所定の条件（室内の水道ラインＬ１に接続可能な場合）を満たす場合には、例外的に室内でも使用することができる。
【実施例】
【００４８】
この欄では、第２実施形態、第３実施形態等の他の実施形態について説明する。なお、他の実施形態を説明するに当たって、第１実施形態と同一又は同様の符号を付し、重複する説明を割愛する。
【００４９】
まず、図１２は本発明の第２実施形態の説明図である。図１２に於いて、Ａ１は水道水供給工程、Ｂ１は飲料水貯留タンク分離工程、Ｃ１はソーラーパネル設置工程、Ｄ１はソーラーパネル支持工程、Ｅ１は台車移動工程、Ｆ１はソーラーパネル２１の角度変更工程である。この第２実施形態が前記第１実施形態と主に異なる点は、（ａ）水道水供給工程Ａ１の前に、台車１５に既に飲料水貯留タンク５が搭載されていること、（ｂ）水道水供給工程Ａ１では、飲料水貯留タンク５が建物の敷地、建物の屋上、建物のベランダ、車庫付近等の室外の水道水ラインＬ２に接続していることである。
【００５０】
しかして、第２実施形態の水と電気の供給方法は、キャスターを有する台車１５に搭載した飲料水貯留タンク５を室外の水道水ラインＬ２に接続し、通常使用の時は、前記水道ラインＬ２から供給される水道水Ｗを、前記飲料水貯留タンク５を経て使用する水道水供給工程Ａ１と、非常使用の時は、前記水道水ラインＬ２から前記飲料水貯留タンク５を取り外す飲料水貯留タンク分離工程Ｂ１と、その後、電源供給部２１ｃを有するソーラーパネル２１を前記台車１５に脚状支持部材１９を介して揺動自在に設置するソーラーパネル設置工程Ｃ１と、前記ソーラーパネル設置後の台車１５を、陽が当たる室外の任意の場所まで移動させる台車移動工程Ｅ１と、太陽が出ている間に於いて、操作力により、前記ソーラーパネル２１を少なくとも傾斜姿勢から略水平姿勢へと回動させるソーラーパネルの角度変更工程Ｆ１を含むものである。そして、好ましくは、例えば前記ソーラーパネル設置工程Ｃ１の後に、ソーラーパネル支持工程Ｄ１が行われる。
【００５１】
次に、図１３は本発明の第３実施形態の説明図である。図１３に於いて、Ａ２は水道水供給工程、Ｂ２は飲料水貯留タンク分離工程、Ｃ２は台車移動工程、Ｄ２ソーラーパネルの角度変更工程である。この第２実施形態が前記第１実施形態と主に異なる点は、（ａ）水道水供給工程Ａ２の前に、台車１５に既に飲料水貯留タンク５が搭載されていること、また、同様に台車１５にソーラーパネル設置されていること、（ｂ）水道水供給工程Ａ２では、同様に、飲料水貯留タンク５が建物の敷地、建物の屋上、建物のベランダ、車庫付近等の室外の水道水ラインＬ２に接続していることである。
【００５２】
以上のように、第２実施形態及び第３実施形態では、台車１５に、少なくとも飲料水貯留タンク５が搭載されているので、飲料水貯留タンク５を室外の水道水ラインＬ２に接続している。また好ましくは、台車１５に飲料水貯留タンク５と共にソーラーパネル２１を設置しておくと、供給装置Ｘの置く場所如何によっては、普段からソーラーパネル２１で発電をすることができる。したがって、例えば停電したときに直ちに供給装置Ｘを利用することができる。
【００５３】
次に、図１４乃至図１７は第１実施形態乃至第３実施形態に用いられる供給装置Ｘの他の実施形態の説明図である。この供給装置Ｘ１（ここでは、「供給装置の第２実施形態」に相当する）が前記供給装置Ｘと主に異なる点は、
（ａ）ソーラーパネル２１の裏面に設けた水平軸部２３に位置を変え、例えば一端部或いは一端部寄りの部位に設けている。
（ｂ）脚状支持部材１９と、凹所状水平嵌合部２０がそれぞれ一対である。
（ｃ）一対の脚状支持部材１９を台車用把手１８の付近に立設している。
（ｄ）ソーラーパネル２１を傾斜姿勢及び略水平姿勢に支持することができる角度変更手段を構成する紐状連結部材３１を「平面視略コ字形状の所定長の連結杆３１Ａ」に代えている。
（ｅ）連結杆３１Ａの一端部が係入する係止穴３５をソーラーパネル２１の架台２１ａの略中央部に１個設け、一方、前記連結杆３１Ａの他端部が係入する係止穴３６を脚状支持部材１９に複数個上下方向に所定間隔を有して設け、上方の係止穴３６はソーラーパネル２１を略水平状態に支持する支持部として利用され（図１５を参照）、一方、下方の係止穴３６はソーラーパネル２１が傾斜姿勢に支持する支持部として利用される（図１７を参照）ように構成したことである。
（ｆ）その他、水平軸部２３が凹所状水平嵌合部２０からそのまま真上に抜けないように、前記凹所状水平嵌合部２０を斜め方向に開口させ、垂下片２４及び水平軸部２３の向きも、前記凹所状水平嵌合部２０に整合させたことである。
上記のように供給装置Ｘ１を構成しても、供給装置Ｘと同一の作用・効果を得ることができる。
【００５４】
次に、図１８乃至図２１は供給装置Ｘ２の第３実施形態の各説明図である。まず、図１８は要部の分解説明図、図１９は供給装置全体の斜視図である。この供給装置Ｘ２が前記供給装置Ｘと主に異なる点は、次のとおりである。
（い）ソーラーパネル２１の裏面に設けた水平軸部２３に位置を変え、例えば一端部（一端部寄りの部位も含む）の中央部に蝶番手段４１設けたことである。しかして、水平軸部２３は、蝶番手段４１の中心軸であり、該蝶番手段４１の一方の端板４１ａは前記裏面に固着具を介して固定されている。そして、該蝶番手段４１の他方の可動端板４１ｂの背面には、キャップ状の嵌合筒４２の外周面が固定されている。嵌合筒４２は、例えば溶着により他方の端板４１ｂに固定されている。なお、この実施形態では、脚状支持部材１９が１本なので、蝶番手段４１は一個であるが、前記脚状支持部材１９が２本の場合には蝶番手段４１は、合計２個となる。
（ろ）また、ソーラーパネル２１の裏面の中央部或いは他端部には、枢支部材としての枢支ピン４３を有する軸受け４４が固定されている。枢支ピン４３は、設計如何によって、固定又は回転可能に設けられる。
（は）一本の脚状支持部材１９が、供給装置Ｘ１と同様に、台車用把手１８の付近に立設されている。そして、脚状支持部材１９には、少なくとも、ソーラーパネル２１を略水平姿勢に支持するために使用される上方の支持孔４５と、前記ソーラーパネル２１を傾斜姿勢に支持するための下方の支持孔４６がそれぞれ形成されている。これらの支持孔４５、４６は貫通小孔であり、図１８で示したＬ型状の係止棒４７が選択的に差し込まれる。前記係止棒４７は、例えば図２０及び図２１で示すように、支持孔４５、４６にそれぞれ完全に差し込まれ、いわゆるストッパーの役割を果たす。
（に）ソーラーパネル２１を傾斜姿勢及び略水平姿勢に支持することができる角度変更手段を構成する部材として、前記係止棒４７に差し込まれ、かつ、１本の支持腕４９を介して前記枢支ピン４３に接続する完全筒状の調整筒４８が用いられている。この調整筒４８は、脚状支持部材１９にスライド自在に外嵌合する。
（ほ）上記構成に於いて、供給装置Ｘと同様に、ソーラーパネル２１を脚状支持部材１９に着脱自在に嵌合する場合には、まず、調整筒４８を脚状支持部材１９の上端部から嵌め込む。次に、ソーラーパネル２１を略水平姿勢に支持する場合には、係止棒４７を上方の支持孔４５に串状に差し込み、係止棒４７の外面に調整筒４８の下端面を載せる。このように構成すると、供給装置Ｘ、Ｘ１と同様に、簡単かつ短時間でソーラーパネル２１を脚状支持部材１９に装着することができる。
（へ）一方、正午が過ぎ、太陽が西側に向かった場合には、所望する時間に、前記係止棒４７を脚状支持部材１９から抜き取り、今度は下方の支持孔４６に差し込む。そして、図２１で示したように、係止棒４７の外面に調整筒４８の下端面を載せる。
以上のように供給装置Ｘ２を構成しても、供給装置Ｘ、Ｘ１と同一の作用・効果を得ることができる。
【００５５】
上記供給装置Ｘ２は、ソーラーパネル２１を少なくとも傾斜姿勢から略水平姿勢へと回動させる角度変更手段を有し、この角度変更手段は、脚状支持部材１９に形成された略水平姿勢用の上方の支持孔４５及び傾斜姿勢用下方の支持孔４６と、これらの支持孔に選択的に差し込まれる係止棒４７と、この係止棒に止められ、かつ、脚状支持部材１９にスライド自在に外嵌合する調整筒４８と、この調整筒に下端部が枢支され、一方、上端部が前記ソーラーパネルに取付けられ枢支部材に軸支された支持腕４９と、前記枢支部材に対して所定間隔離れていると共に、ソーラーパネル２１の一端部側に取付けられた蝶番手段４１と、この蝶番手段の可動端板４１ｂに固定され、前記脚状支持部材１９の上端部に固定的に嵌合する栓状或いはキャップ状の嵌合筒４２とから成る。
【産業上の利用可能性】
【００５６】
本発明は、地震などの非常時の時、水と電気の供給方法及びその供給装置として利用される。
【符号の説明】
【００５７】
Ｘ、Ｘ１、Ｘ２…水と電気の供給装置、
Ｌ１…室内の水道水ライン、
Ｌ２…室外の水道水ライン、
Ｗ…水道水、
Ａ…水道水供給工程、
Ｂ…飲料水貯留タンク搭載工程、
Ｃ…ソーラーパネル設置工程、
Ｄ…ソーラーパネル支持工程、
Ｅ…台車移動工程、
Ｆ…ソーラーパネルの角度変更工程、
Ａ１…水道水供給工程、
Ｂ１…飲料水貯留タンク分離工程、
Ｃ１…ソーラーパネル設置工程、
Ｄ１…ソーラーパネル支持工程、
Ｅ１…台車移動工程、
Ｆ１…ソーラーパネル２１の角度変更工程、
Ａ２…水道水供給工程、
Ｂ２…飲料水貯留タンク分離工程、
Ｃ２…台車移動工程
Ｄ２…ソーラーパネルの角度変更工程、
５…飲料水貯留タンク、
１５…台車、
１９…脚状支持部材、
２０…凹所状水平嵌合部、
２１…ソーラーパネル、
２２…二次電池、
２１ｃ…電源供給部（例えば携帯端末用接続端子）、
２３…水平軸部、
３１…ソーラーパネル用の連結部材、
３２…支持部、
４１…蝶番手段、
４１ｂ…可動端板、
４２…嵌合筒、
４５…上方の支持孔、
４６…下方の支持孔、
４７…係止棒、
４８…調整筒、
４９…支持腕。
【図１】
2020068617.tif 000003
【図２】
2020068617.tif 000004
【図３】
2020068617.tif 000005
【図４】
2020068617.tif 000006
【図５】
2020068617.tif 000007
【図６】
2020068617.tif 000008
【図７】
2020068617.tif 000009
【図８】
2020068617.tif 000010
【図９】
2020068617.tif 000011
【図１０】
2020068617.tif 000012
【図１１】
2020068617.tif 000013
【図１２】
2020068617.tif 000014
【図１３】
2020068617.tif 000015
【図１４】
2020068617.tif 000016
【図１５】
2020068617.tif 000017
【図１６】
2020068617.tif 000018
【図１７】
2020068617.tif 000019
【図１８】
2020068617.tif 000020
【図１９】
2020068617.tif 000021
【図２０】
2020068617.tif 000022
【図２１】
2020068617.tif 000023